(57)【特許請求の範囲】
【請求項１】
通信システムにおいてＤ２Ｄ（デバイス間）通信を行う装置であって、
前記通信システムは、少なくとも、基地局（ＢＳ）と、Ｄ２Ｄ送信機と、Ｄ２Ｄ受信機と、を備え、
前記Ｄ２Ｄ送信機は、Ｄ２Ｄ通信においてＤ２Ｄデータを前記Ｄ２Ｄ受信機に送信し、
前記装置は、
前記Ｄ２Ｄ送信機からＤ２Ｄデータを受信する第１のデータ受信部と、
前記Ｄ２Ｄ受信機が前記Ｄ２Ｄ送信機から前記Ｄ２Ｄデータを受信できないことを示す否定的メッセージを前記Ｄ２Ｄ受信機から受信したことに応答して、前記受信したＤ２Ｄデータを前記Ｄ２Ｄ受信機に送信する第１のデータ送信部と、
前記Ｄ２Ｄ送信機から前記Ｄ２Ｄデータを送信するためのＤ２Ｄ送信電力を決定する第１の決定部と、
を備え、
前記第１の決定部は、
前記Ｄ２Ｄ通信のチャネル品質を取得する第１の取得部と、
前記チャネル品質が所定の閾値を超えているか否かを決定する第２の決定部と、
前記チャネル品質が所定の閾値を超えていると決定したことに応答して、前記通信システムのスループットが最大化するように、前記Ｄ２Ｄ送信電力及び少なくとも１つのＵＥ用に少なくとも１つのセルラ送信電力を計算する第１の計算部と、
前記チャネル品質が前記所定の閾値を超えていないと決定したことに応答して、前記Ｄ２Ｄ送信機の全出力を前記Ｄ２Ｄ送信電力として決定し、前記少なくとも１つのＵＥの全出力を前記少なくとも１つのセルラ送信電力として決定する第３の決定部と、
を備える装置。
【請求項２】
通信システムにおいてＤ２Ｄ（デバイス間）通信を行う装置であって、
前記通信システムは、少なくとも、基地局（ＢＳ）と、Ｄ２Ｄ送信機と、Ｄ２Ｄ受信機と、を備え、
前記Ｄ２Ｄ送信機は、Ｄ２Ｄ通信においてＤ２Ｄデータを前記Ｄ２Ｄ受信機に送信し、
前記装置は、
前記Ｄ２Ｄ送信機からＤ２Ｄデータを受信する第１のデータ受信部と、
前記Ｄ２Ｄ受信機が前記Ｄ２Ｄ送信機から前記Ｄ２Ｄデータを受信できないことを示す否定的メッセージを前記Ｄ２Ｄ受信機から受信したことに応答して、前記受信したＤ２Ｄデータを前記Ｄ２Ｄ受信機に送信する第１のデータ送信部と、
前記Ｄ２Ｄ通信に必要とされるＤ２Ｄレートを取得する第２の取得部と、
前記Ｄ２Ｄレートに基づいて、前記ＢＳが前記Ｄ２Ｄ通信における中継器として適当か否かを決定する第４の決定部と、
を備える装置。
【請求項３】
前記第４の決定部は、
前記Ｄ２Ｄ送信機用の電力制限と前記Ｄ２Ｄ送信機から前記ＢＳへのチャネルとに基づいて、又は、前記ＢＳ用の電力制限と前記ＢＳから前記Ｄ２Ｄ受信機へのチャネルとに基づいて、候補レートを計算する第２の計算部と、
前記候補レートが前記Ｄ２Ｄレートを超えているか否かを決定する第５の決定部と、
前記候補レートが前記Ｄ２Ｄレートを超えていると決定したことに応答して、前記ＢＳが前記Ｄ２Ｄ通信における中継器として適当であると決定する第６の決定部と、
前記候補レートが前記Ｄ２Ｄレートを超えていないと決定したことに応答して、前記ＢＳが前記Ｄ２Ｄ通信における中継器として適当でないと決定する第７の決定部と、
を備える請求項２に記載の装置。
【請求項４】
通信システムにおいてＤ２Ｄ（デバイス間）通信を行う方法であって、
前記通信システムは、少なくとも、基地局（ＢＳ）と、Ｄ２Ｄ送信機と、Ｄ２Ｄ受信機と、を備え、
前記Ｄ２Ｄ送信機は、Ｄ２Ｄ通信においてＤ２Ｄデータを前記Ｄ２Ｄ受信機に送信し、
前記方法は、
前記Ｄ２Ｄ送信機からＤ２Ｄデータを受信することと、
前記Ｄ２Ｄ受信機が前記Ｄ２Ｄ送信機から前記Ｄ２Ｄデータを受信できないことを示す否定的メッセージを前記Ｄ２Ｄ受信機から受信したことに応答して、前記受信したＤ２Ｄデータを前記Ｄ２Ｄ受信機に送信することと、
前記Ｄ２Ｄ送信機から前記Ｄ２Ｄデータを送信するためのＤ２Ｄ送信電力を決定することと、
を備え、
前記Ｄ２Ｄ送信電力を決定することは、
前記Ｄ２Ｄ通信のチャネル品質を取得することと、
前記チャネル品質が所定の閾値を超えているか否かを決定することと、
前記チャネル品質が所定の閾値を超えていると決定したことに応答して、前記通信システムのスループットが最大化するように、前記Ｄ２Ｄ送信電力及び少なくとも１つのＵＥ用に少なくとも１つのセルラ送信電力を計算することと、
前記チャネル品質が前記所定の閾値を超えていないと決定したことに応答して、前記Ｄ２Ｄ送信機の全出力を前記Ｄ２Ｄ送信電力として決定し、前記少なくとも１つのＵＥの全出力を前記少なくとも１つのセルラ送信電力として決定することと、
を備える方法。
【請求項５】
通信システムにおいてＤ２Ｄ（デバイス間）通信を行う方法であって、
前記通信システムは、少なくとも、基地局（ＢＳ）と、Ｄ２Ｄ送信機と、Ｄ２Ｄ受信機と、を備え、
前記Ｄ２Ｄ送信機は、Ｄ２Ｄ通信においてＤ２Ｄデータを前記Ｄ２Ｄ受信機に送信し、
前記方法は、
前記Ｄ２Ｄ送信機からＤ２Ｄデータを受信することと、
前記Ｄ２Ｄ受信機が前記Ｄ２Ｄ送信機から前記Ｄ２Ｄデータを受信できないことを示す否定的メッセージを前記Ｄ２Ｄ受信機から受信したことに応答して、前記受信したＤ２Ｄデータを前記Ｄ２Ｄ受信機に送信することと、
前記Ｄ２Ｄ通信に必要とされるＤ２Ｄレートを取得することと、
前記Ｄ２Ｄレートに基づいて、前記ＢＳが前記Ｄ２Ｄ通信における中継器として適当か否かを決定することと、
を備える方法。
【発明の詳細な説明】
【技術分野】
【０００１】
本発明の実施形態は、概して通信技術に関する。とりわけ、本発明の実施形態は、通信システムにおけるＤ２Ｄ（デバイス間）通信用の方法と装置に関する。
【背景技術】
【０００２】
ＧＳＭ、ＣＤＭＡ、ＵＭＴＳ、ＬＴＥ技術を採用するネットワークのような実用的通信ネットワークにおいて、より速い、より信頼性の高い、より良いマルチメディアに対する無線通信利用者の需要が高まっている。このような需要の高まりに対応するために、より高いスループットを提供する研究が行われている。
【０００３】
より高いスループットに対する需要が増加したことにより、例えばフェムト及びその他の小さなセルのように、セルラネットワークトラフィックをオフロードする傾向が大きな注目を受けている。セルラトラフィックをオフロードすることへの需要が高まったことは、Ｄ２Ｄ通信に関する産業パートナーの大部分から注目を集めている。Ｄ２Ｄ通信の目的は、Ｄ２Ｄデバイスがインフラストラクチャから限定的な助けを借りて又は助けを借りずに互いにデータを送信することを許可するために、このトラックを続行することである。Ｄ２Ｄ送信機（Ｄ２Ｄ Ｔｘ）とＤ２Ｄ受信機（Ｄ２Ｄ Ｒｘ）とを含むＤ２Ｄデバイス間でＤ２Ｄ通信を行うための既存及び共通のスキームによれば、Ｄ２Ｄデータ又はＤ２Ｄトラフィックは、Ｄ２Ｄ送信機からＤ２Ｄ受信機に送信されてもよい。
【０００４】
スペクトルを効率的に利用するために、同一の周波数帯域は、セルラユーザ機器（ＵＥｓ）とＤ２Ｄデバイスとによって共有されることが許可されている。即ち、Ｄ２Ｄ通信は、セルラ通信と同一の周波数帯域を共有してよい。このような場合、Ｄ２Ｄ通信は、セルラ通信と干渉する可能性がある。干渉は、特にアップリンクにおいて、セルラ通信におけるセルスループットを低下させるだけでなく、著しく通信品質を劣化させるだろう。
【０００５】
従来の方法は、この問題に対処するために、一般に、Ｄ２Ｄ送信機からＤ２Ｄ受信機に送信されるＤ２Ｄ信号を干渉として処理する。そして、干渉を低減するためにＤ２Ｄ送信機からの信号を低減する。しかし、これら従来の方法は、完全に干渉を除去することはできない。
【０００６】
上記問題を鑑みると、Ｄ２Ｄ通信とセルラ通信の両方を含む通信システムの性能を効果的に向上させるために、Ｄ２Ｄ通信からセルラ通信への干渉を低減する必要がある。
【発明の概要】
【発明が解決しようとする課題】
【０００７】
本発明は、Ｄ２Ｄ通信からセルラ通信への干渉を除去するための解決方法を提案する。特に、本発明は、Ｄ２Ｄ通信とセルラ通信の両方を含む通信システムの性能を効果的に向上させる通信システムにおいて、Ｄ２Ｄ通信を行うための方法と装置を提供する。
【課題を解決するための手段】
【０００８】
本発明の実施形態に係る第１の観点によると、発明の実施形態は、通信システムにおいてＤ２Ｄ通信を行う方法を提供する。前記通信システムは、少なくとも、基地局（ＢＳ）と、Ｄ２Ｄ送信機と、Ｄ２Ｄ受信機と、を備えていてもよい。前記Ｄ２Ｄ送信機は、Ｄ２Ｄ通信においてＤ２Ｄデータを前記Ｄ２Ｄ受信機に送信してもよい。前記方法は、前記Ｄ２Ｄ送信機からＤ２Ｄデータを受信することと、前記Ｄ２Ｄ受信機が前記Ｄ２Ｄ送信機から前記Ｄ２Ｄデータを受信できないことを示す否定的メッセージを前記Ｄ２Ｄ受信機から受信したことに応答して、前記受信したＤ２Ｄデータを前記Ｄ２Ｄ受信機に送信することと、を備えていてもよい。
【０００９】
本発明の実施形態に係る第２の観点によると、発明の実施形態は、通信システムにおいてＤ２Ｄ通信を行う方法を提供する。前記通信システムは、少なくとも、基地局（ＢＳ）と、Ｄ２Ｄ送信機と、Ｄ２Ｄ受信機と、を備えていてもよい。前記Ｄ２Ｄ送信機は、Ｄ２Ｄ通信においてＤ２Ｄデータを前記Ｄ２Ｄ受信機に送信してもよい。前記方法は、前記Ｄ２Ｄ送信機からＤ２Ｄデータを受信できないことに応答して、前記Ｄ２Ｄ送信機と前記ＢＳとに否定的メッセージを送信することと、前記ＢＳから前記Ｄ２Ｄデータを受信することと、を備えていてもよい。
【００１０】
本発明の実施形態に係る第３の観点によると、発明の実施形態は、通信システムにおいてＤ２Ｄ通信を行う方法を提供する。前記通信システムは、少なくとも、基地局（ＢＳ）と、Ｄ２Ｄ送信機と、Ｄ２Ｄ受信機と、を備えていてもよい。前記Ｄ２Ｄ送信機は、Ｄ２Ｄ通信においてＤ２Ｄデータを前記Ｄ２Ｄ受信機に送信してもよい。前記方法は、前記ＢＳが、前記Ｄ２Ｄ受信機から否定的メッセージを受信したことに応答して、前記Ｄ２Ｄデータを前記Ｄ２Ｄ受信機に送信できるように、前記Ｄ２Ｄデータを前記Ｄ２Ｄ受信機と前記ＢＳとに送信することを備えていてもよい。
【００１１】
本発明の実施形態に係る第４の観点によると、発明の実施形態は、通信システムにおいてＤ２Ｄ通信を行う装置を提供する。前記通信システムは、少なくとも、基地局（ＢＳ）と、Ｄ２Ｄ送信機と、Ｄ２Ｄ受信機と、を備えていてもよい。前記Ｄ２Ｄ送信機は、Ｄ２Ｄ通信においてＤ２Ｄデータを前記Ｄ２Ｄ受信機に送信してもよい。前記装置は、前記Ｄ２Ｄ送信機からＤ２Ｄデータを受信する第１のデータ受信部と、前記Ｄ２Ｄ受信機が前記Ｄ２Ｄ送信機から前記Ｄ２Ｄデータを受信できなかったことを示す否定的メッセージを前記Ｄ２Ｄ受信機から受信したことに応答して、前記受信したＤ２Ｄデータを前記Ｄ２Ｄ受信機に送信する第１のデータ送信部と、を備えていてもよい。
【００１２】
本発明の実施形態に係る第５の観点によると、発明の実施形態は、通信システムにおいてＤ２Ｄ通信を行う装置を提供する。前記通信システムは、少なくとも、基地局（ＢＳ）と、Ｄ２Ｄ送信機と、Ｄ２Ｄ受信機と、を備えていてもよい。前記Ｄ２Ｄ送信機は、Ｄ２Ｄ通信においてＤ２Ｄデータを前記Ｄ２Ｄ受信機に送信してもよい。前記装置は、前記Ｄ２Ｄ送信機からＤ２Ｄデータを受信できないことに応答して、前記Ｄ２Ｄ送信機と前記ＢＳとに否定的メッセージを送信する第１の送信部と、前記ＢＳから前記Ｄ２Ｄデータを受信する第２のデータ受信部と、を備えていてもよい。
【００１３】
本発明の実施形態に係る第６の観点によると、発明の実施形態は、通信システムにおいてＤ２Ｄ通信を行う装置を提供する。前記通信システムは、少なくとも、基地局（ＢＳ）と、Ｄ２Ｄ送信機と、Ｄ２Ｄ受信機と、を備えていてもよい。前記Ｄ２Ｄ送信機は、Ｄ２Ｄ通信においてＤ２Ｄデータを前記Ｄ２Ｄ受信機に送信してもよい。前記装置は、前記ＢＳが、前記Ｄ２Ｄ受信機から否定的メッセージを受信したことに応答して、前記Ｄ２Ｄデータを前記Ｄ２Ｄ受信機に送信できるように、前記Ｄ２Ｄデータを前記Ｄ２Ｄ受信機と前記ＢＳとに送信する第２のデータ送信部を備えていてもよい。
【００１４】
それら既存の解決方法に比べて、提案した解決方法は、Ｄ２Ｄ送信機の干渉を有用な信号として対処し、セルスループットが効果的に向上し、効果的なＤ２Ｄ送信レートが維持されるように、Ｄ２Ｄデバイスの多様性を増やす。
【００１５】
本発明の実施形態の他の特徴及び利点は、添付図面とともに読めば、特定の実施形態の以下の説明からも明らかになるだろう。添付図面は、発明の実施形態の原理を例として図示する。
【００１６】
本発明の実施形態は例示的な位置づけであり、これらの利点については、添付図面とともに以下で、より詳細に説明する。
【図面の簡単な説明】
【００１７】
【図１】セルラ通信が従来技術に係るＤ２Ｄ通信によって干渉される通信システムの概略図である。
【図２】セルラ通信が発明の実施形態に係るＤ２Ｄ通信によって干渉されない通信システムの概略図である。
【図３】発明の実施形態に係る通信システムにおいてＤ２Ｄ通信を行うための方法３００のフローチャートである。
【図４】発明のさらなる実施形態に係る通信システムにおいてＤ２Ｄ通信を行うための方法４００のフローチャートである。
【図５】発明の実施形態に係る通信システムにおいてＤ２Ｄ通信を行うための方法５００のフローチャートである。
【図６】発明の実施形態に係る通信システムにおいてＤ２Ｄ通信を行うための方法６００のフローチャートである。
【図７】発明の実施形態に係る通信システムにおけるＤ２Ｄ通信を行うための装置７００のブロック図である。
【図８】発明の実施形態に係る通信システムにおけるＤ２Ｄ通信を行うための装置８００のブロック図である。
【図９】発明の実施形態に係る通信システムにおけるＤ２Ｄ通信を行うための装置９００のブロック図である。
【図１０Ａ】発明の実施形態に係るＤ２Ｄ通信の概略図である。
【図１０Ｂ】発明のさらなる実施形態に係るＤ２Ｄ通信の概略図である。
【発明を実施するための形態】
【００１８】
図において、同一又は類似の参照番号は同一又は類似の要素を示す。
【００１９】
本発明の様々な実施形態を図面とともに詳細に説明する。図中のフローチャート及びブロック図は、本発明の実施形態に関して、装置、方法、並びにコンピュータプログラム製品により実行可能な構成、機能、動作を示す。この点について、フローチャート又はブロック図の中の各々のブロックは、指定された論理機能を実行するための１つ以上の実行可能な指示を含むモジュール、プログラム又はコードの一部を表すものとしてもよい。いくつかの変形例においては、ブロックで示される機能が、図示される順序と異なる順序で実行されてもよい点に留意されたい。例えば、連続して示される２つのブロックは、実際には実質上並列に、又は逆の順序で実行されるものとしてもよい。それは関連機能次第である。ブロック図及び／又はフローチャートの各ブロックとそれらの組み合わせは、特定の機能／動作のための専用のハードウェア・ベースのシステムによって、又は専用のハードウェアとコンピュータ命令の組合せによって実行されてもよいという点にも留意されたい。
【００２０】
開示では、ユーザ機器（ＵＥ）は、端末、移動体端末（ＭＴ）、加入者設備（ＳＳ）、携帯加入者設備（ＰＳＳ）、移動局（ＭＳ）、又はアクセス端末（ＡＴ）を指していてもよい。また、ＵＥ、端末、ＭＴ、ＳＳ、ＰＳＳ、ＭＳ、又はＡＴの機能の一部もしくは全部が含まれていてもよい。
【００２１】
開示では、基地局（ＢＳ）は、ノードＢ（ノードＢ又はＮＢ）、進化型ノードＢ（ｅノードＢ又はｅＮＢ）、又はセルを管理するその他の適当なデバイスをを指していてもよい。
【００２２】
まず、セルラ通信が従来技術に係るＤ２Ｄ通信によって干渉される通信システムの概略図を図示する図１を参照する。
【００２３】
図１の通信システムは、ＧＳＭシステム、ＣＤＭＡシステム、ＵＭＴＳシステム、ＬＴＥシステム等で実施されてもよい。システムは、例えば、ＢＳ１１０と、ＵＥ１１１と、ＵＥ１１２と、Ｄ２Ｄ送信機１１３と、Ｄ２Ｄ受信機１１４と、を備える。システムにおいて、ＵＥ１１１とＵＥ１１２は、ＢＳ１１０によって供給されている。具体的には、ＵＥ１１１とＵＥ１１２は、ＢＳ１１０と通信している（つまり、ＵＥ１１１とＵＥ１１２は、ＢＳ１１０とセルラ通信している）。一方、Ｄ２Ｄ送信機１１３とＤ２Ｄ受信機１１４は、Ｄ２Ｄ通信している。具体的には、Ｄ２Ｄ送信機１１３は、Ｄ２ＤデータをＤ２Ｄ受信機１１４に送信している。
【００２４】
図１から分かるように、Ｄ２Ｄ通信中、特に、Ｄ２Ｄ送信機１１３が、データをＤ２Ｄ受信機１１４に送信しているとき、ＵＥ１１１及び／又はＵＥ１１２とアップリンクセルラ通信しているＢＳ１１０は、Ｄ２Ｄ送信機１１３から干渉を受けている可能性がある。この場合、ＢＳ１１０は、「被害受信機」であると考えられる。
【００２５】
ここで、セルラ通信が発明の実施形態に係るＤ２Ｄ通信によって干渉されない通信システムの概略図を図示する図２を参照する。
【００２６】
図１と同様に、発明の実施形態に係る通信システムも、ＧＳＭシステム、ＣＤＭＡシステム、ＵＭＴＳシステム、ＬＴＥシステム等で実施されてよい。図２が図示するシステムは、ＢＳ２１０と、ＵＥ２１１と、ＵＥ２１２と、Ｄ２Ｄ送信機２１３と、Ｄ２Ｄ受信機２１４と、を備える。システムにおいて、ＵＥ２１１とＵＥ２１２は、ＢＳ２１０とセルラ通信している。一方、Ｄ２Ｄ送信機２１３は、Ｄ２Ｄ通信において、Ｄ２ＤデータをＤ２Ｄ受信機２１４に送信している。当業者によって理解されるように、本発明の他の実施形態では、別のＤ２Ｄ通信において、Ｄ２Ｄ受信機２１４は、Ｄ２Ｄデータを送信するために、Ｄ２Ｄ送信機の役割を果たしても構わない。また、Ｄ２Ｄ送信機２１３は、Ｄ２Ｄデータを受信するために、Ｄ２Ｄ受信機の役割を果たしても構わない。従って、Ｄ２Ｄ送信機２１３とＤ２Ｄ受信機２１４は、例として図２に図示されているだけであり、限定するものではない。
【００２７】
図２から分かるように、本発明の実施形態に係るＤ２Ｄ通信中、Ｄ２Ｄ送信機２１３は、ＢＳ２１０と同様に、Ｄ２ＤデータをＤ２Ｄ受信機２１４に送信する。本発明の実施形態によると、ＢＳ２１０は、Ｄ２Ｄ受信機２１４がＤ２Ｄ送信機２１３からＤ２Ｄデータを受信できないことに応答して、Ｄ２ＤデータをＤ２Ｄ受信機２１４に転送するための中継器として動作してもよい。このように、Ｄ２Ｄデータは、もはやＢＳ２１０に対する干渉ではなく、有効な信号である。従って、システムスループットは、干渉が除去されることにより大幅に向上する。
【００２８】
本発明の実施形態によれば、Ｄ２Ｄ送信機とＤ２Ｄ受信機は、１つのセル内に配置されていてもよいし、異なる隣接セルに配置されていてもよい。Ｄ２Ｄ送信機とＤ２Ｄ受信機が１つのセル内に配置されている実施形態では、セルを管理するＢＳは、Ｄ２Ｄ送信用の中継器として動作してもよい。Ｄ２Ｄ送信機とＤ２Ｄ受信機が異なる隣接セルに配置されている他の実施形態では、Ｄ２Ｄ送信機が配置されたセルを管理するＢＳは、Ｄ２Ｄ送信用の中継器として動作してもよい。
【００２９】
本発明の他の実施形態によれば、通信システムは、ＵＥを含まなくてもよいし、ＢＳとセルラ通信する少なくとも１つのＵＥを含んでいてもよいことに留意すべきである。従って、ＢＳがＵＥを提供していない場合とＢＳが１つ又は複数のＵＥを提供している場合の両方で、本発明の実施形態は適用可能である。図２が示すＵＥ２１１とＵＥ２１２は、例示に過ぎず、限定のためのものではない。
【００３０】
ここで、発明の実施形態に係る通信システムにおいてＤ２Ｄ通信を行うための方法３００のフローチャートを図示する図３を参照する。本発明の実施形態によれば、通信システムは、少なくとも、ＢＳと、Ｄ２Ｄ送信機と、Ｄ２Ｄ受信機と、を備えていてもよい。また、Ｄ２Ｄ送信機は、Ｄ２Ｄ通信においてＤ２ＤデータをＤ２Ｄ受信機に送信してもよい。本発明の実施形態によれば、通信システムは、図２に図示されたシステムのように、ＧＳＭシステム、ＣＤＭＡシステム、ＵＭＴＳシステム、ＬＴＥシステム等で実施されてもよい。本発明の実施形態によれば、方法３００は、例えば、基地局、基地局制御機（ＢＳＣ）、ゲートウェイ、中継器、サーバ、又は他の適用可能なデバイスによって実行されてもよい。
【００３１】
方法３００が開始されると、ステップＳ３０１において、Ｄ２Ｄデータは、Ｄ２Ｄ送信機から受信される。
【００３２】
上述したように、既存のＤ２Ｄ解決方法では、ＢＳは、Ｄ２Ｄ送信機からＤ２Ｄデータを受信しないが、Ｄ２Ｄデータによる干渉を受ける。対照的に、本発明の実施形態によれば、ＢＳは、Ｄ２Ｄ送信機からＤ２Ｄデータを受信してもよい。このように、Ｄ２Ｄ送信機から送信されるＤ２Ｄデータは、もはや干渉ではないが、ＢＳ用の有効な信号である。
【００３３】
ステップＳ３０２において、受信されたＤ２Ｄデータは、Ｄ２Ｄ受信機から否定的メッセージを受信したことに応答して、Ｄ２Ｄ受信機に送信される。否定的メッセージは、Ｄ２Ｄ受信機がＤ２Ｄ送信機からＤ２Ｄデータを受信できないことを示すことができる。
【００３４】
本発明の実施形態によれば、Ｄ２Ｄ送信機からＤ２Ｄデータを受信すると、ＢＳは、さらなる使用のために、例えば、Ｄ２Ｄ受信機がＤ２Ｄ送信機からＤ２Ｄデータを正常に受信できないときにＤ２ＤデータをＤ２Ｄ受信機に送信するために、受信したＤ２Ｄデータを記憶してもよい。いくつかの実施形態において、Ｄ２Ｄデータは、メモリ、例えば、ＲＡＭ、ＲＯＭ、ＥＰＲＯＭ、ＥＥＰＲＯＭ、フラッシュメモリデバイス等のようなＢＳにアクセス可能な半導体メモリデバイスに記憶されてもよい。この点で、ＢＳは、Ｄ２Ｄデータ転送用の中継器として動作すると考えられる。本発明の実施形態によれば、いくつかの転送スキーム、例えばアンプリファイアンドフォワード、インクリメンタル アンプリファイアンドフォワード、デコードアンドフォワード、セレクション デコードアンドフォワード、は中継処理において採用されてもよい。上記転送スキームは、例示を目的とするものに過ぎず、限定するものではないことに留意されたい。
【００３５】
Ｄ２Ｄ受信機から否定的メッセージを受信したことに応答して、ＢＳは、Ｄ２Ｄ受信機がＤ２Ｄ送信機からＤ２Ｄデータを正常に受信できないと決定してもよく、それからＤ２Ｄデータの送信成功を保証するためにＤ２ＤデータをＤ２Ｄ受信機に送信してもよい。
【００３６】
本発明の実施形態によれば、Ｄ２Ｄ送信状態以前に、方法３００は、Ｄ２Ｄ送信機からＤ２Ｄデータを送信するためのＤ２Ｄ送信電力を決定してもよい。実施形態において、少なくとも１つのＵＥは、基地局（ＢＳ）によって提供される。また、Ｄ２Ｄデータ送信用のＤ２Ｄ送信電力は、以下の動作によって決定されてもよい。Ｄ２Ｄ通信のチャネル品質を取得する。チャネル品質が所定の閾値を超えているか否かを決定する。チャネル品質が所定の閾値を超えていると決定したことに応答して、通信システムのスループットが最大化するように、Ｄ２Ｄ送信電力及び少なくとも１つのＵＥ用に少なくとも１つのセルラ送信電力を計算する。チャネル品質が所定の閾値を超えていないと決定したことに応答して、Ｄ２Ｄ送信機の全出力をＤ２Ｄ送信電力として決定し、少なくとも１つのＵＥの全出力を少なくとも１つのセルラ送信電力として決定する。
【００３７】
本発明の実施形態によれば、Ｄ２Ｄ通信に必要とされるＤ２Ｄレートは、最初に取得される。それから、Ｄ２Ｄレートに基づいて、ＢＳがＤ２Ｄ通信における中継器として適当か否かが決定されてもよい。実施形態において、ＢＳがＤ２Ｄ通信における中継器として適当か否かは、以下によって決定されてもよい。Ｄ２Ｄ送信機用の電力制限とＤ２Ｄ送信機からＢＳへのチャネルとに基づいて、又は、ＢＳ用の電力制限とＢＳからＤ２Ｄ受信機へのチャネルとに基づいて、候補レートを計算する。候補レートがＤ２Ｄレートを超えているか否かを決定する。候補レートがＤ２Ｄレートを超えていると決定したことに応答して、ＢＳがＤ２Ｄ通信における中継器として適当であると決定する。候補レートがＤ２Ｄレートを超えていないと決定したことに応答して、ＢＳがＤ２Ｄ通信における中継器として適当でないと決定する。
【００３８】
図３が図示する実施形態に関して、既存の解決方法とは異なり、アップリンクセルラ送信においてＤ２Ｄ送信機がＢＳに提供されるＵＥとして動作してもよい点が有利であり、ＢＳは、Ｄ２Ｄデータをアップリンク信号として扱う。このように、ＢＳは、Ｄ２Ｄ送信機からＤ２Ｄ受信機に送信されるＤ２Ｄデータによって干渉されない。
【００３９】
ここで、発明のさらなる実施形態に係る通信システムにおいてＤ２Ｄ通信を行うための方法４００のフローチャートを図示する図４を参照する。方法４００は、図３を参照して上述した方法３００の実施形態の１つとして考えられる。以下の方法４００の記載において、必要に応じて、ＢＳがＤ２Ｄ通信における中継器として適当であるか否かが判断され、Ｄ２Ｄデータの送信電力が決定される。しかし、これは本発明の原理を図示することを目的とするものに過ぎず、その範囲を限定するものではないことに留意されたい。
【００４０】
方法４００が開始されると、ステップＳ４０１において、Ｄ２Ｄ通信によって必要とされるＤ２Ｄレートが取得される。
【００４１】
本発明の実施形態によれば、Ｄ２Ｄ通信によって必要とされるＤ２Ｄレートは、いくつかの方法によって取得されてよい。例えば、Ｄ２Ｄレートは、通信システムの動作又は当業者の経験に応じて設定されてよい。別の例では、Ｄ２Ｄレートは、具体的な通信状態に応じて計算されてよい。さらなる例では、Ｄ２Ｄレートは、Ｄ２Ｄ通信の履歴情報に基づいて予測されてもよい。しかし、上記例は例示のために記載されており、Ｄ２Ｄレートは上記例以外の方法で取得されてもよいことに留意されたい。
【００４２】
ステップＳ４０２において、Ｄ２Ｄレートに基づいて、ＢＳがＤ２Ｄ通信における中継器として適当か否かが決定される。
【００４３】
本発明の実施形態によれば、ＢＳが現在の通信状況下でＤ２Ｄ通信における中継器として適当か否かを判断するために、通信システムによってサポートされたＤ２Ｄ通信用の候補レートが決定されてもよい。
【００４４】
本発明の実施形態によれば、候補レートはいくつかの方法で決定されてよい。実施形態において、候補レートは、Ｄ２Ｄ送信機用の電力制限とＤ２Ｄ送信機からＢＳへのチャネルとに基づいて決定されてもよい。具体的には、候補レートは、以下により計算されてもよい。
【数１】
0005964464.tif 000002
ここで、ｈd,BSは、Ｄ２Ｄ送信機からＢＳへのアップリンクチャネルを示す。Ｐ￣ｄは、Ｄ２Ｄ送信機用の電力制限を示す。σ２は、受信機側、例えばＢＳ、におけるガウシアン雑音を示す。
【００４５】
別の実施形態では、候補レートは、ＢＳ用の電力制限とＢＳからＤ２Ｄ受信機へのチャネルとに基づいて決定されてもよい。具体的には、候補レートは、以下により計算されてもよい。
【数２】
0005964464.tif 000003
ここで、
【数３】
0005964464.tif 000004
は、ＢＳからＤ２Ｄ受信機へのダウンリンクチャネルを示す。Ｐ￣BSは、ＢＳ用の電力制限を示す。σ２は、受信機側、例えばＤ２Ｄ受信機、におけるガウシアン雑音を示す。
【００４６】
候補レートは、式（１）及び（２）以外のいくつかの方法で計算されてもよいということ、及び、上記式（１）及び（２）は、例示の目的で図示されており、限定するものではないことに留意されたい。
【００４７】
候補レートを決定すると、候補レートがＤ２Ｄレートを超えているか否かが決定されてもよい。いくつかの実施形態において、候補レートがＤ２Ｄレートを超えていると決定したことに応答して、ＢＳがＤ２Ｄ通信における中継器として適当であると決定されてもよい。また、候補レートがＤ２Ｄレートを超えていないと決定したことに応答して、ＢＳがＤ２Ｄ通信における中継器として適当でないと決定されてもよい。
【００４８】
ステップＳ４０２に関して、ＢＳがＤ２Ｄ通信における中継器として適当であると判別された場合、方法４００のフローは、ステップＳ４０３に進む。そうでなければ、フローは終了する。
【００４９】
当業者によって理解されるように、前述のステップＳ４０１とＳ４０２は、本発明に係る方法では任意的なステップである。常にＤ２Ｄ通信をサポートする良好な通信状態にある通信システムでは、ステップＳ４０１とＳ４０２は、省略されてもよい。
【００５０】
ステップＳ４０３において、Ｄ２Ｄ通信のチャネル品質が取得される。
【００５１】
本発明の実施形態によれば、チャネル品質は、Ｄ２Ｄ送信機とＤ２Ｄ受信機との間のチャネルの品質を反映した情報を含んでいてもよい。例えば、チャネル品質情報は、信号対雑音干渉比（ＳＩＮＲ）、信号対雑音比（ＳＮＲ）、信号対干渉比（ＳＩＲ）、搬送波対雑音干渉比（ＣＩＮＲ）、搬送波対雑音比（ＣＮＲ）を含んでいてもよい。
【００５２】
この実施形態では、チャネル品質情報は、例示的にＳＩＮＲである。このように、Ｄ２Ｄ送信機とＤ２Ｄ受信機との間のチャネルのＳＩＮＲは、ステップＳ４０３で取得されてもよい。本発明の他の実施形態では、チャネル品質情報は、ＳＮＲ、ＳＩＲ、ＣＩＮＲ、ＣＮＲ、又はＳＩＮＲ、ＳＮＲ、ＳＩＲ、ＣＩＮＲ、ＣＮＲを任意に組み合わせたものをさらに含んでいてもよいことに留意されたい。
【００５３】
ステップＳ４０４において、チャネル品質が所定の閾値を超えているか否かが決定される。
【００５４】
所定の閾値は、チャネル品質、例えばステップＳ４０３で取得されたＳＩＮＲ、を評価するための閾値である。本発明の実施形態によれば、このような閾値は、いくつかの方法で予め定められていてもよい。例えば、閾値は、通信システムの操作者又は当業者の経験に応じて予め定められていてもよい。また、閾値は、通信システムの具体的な通信状態に応じて予め定められていてもよい。さらに、閾値は、Ｄ２Ｄ通信の履歴情報に基づいて予め定められていてもよい。上記例は、例示のために記載されたものであり、閾値は、上記例以外の方法で取得されてもよいことに留意されたい。
【００５５】
所定の閾値と比較して、チャネル品質が所定の閾値を超えていると決定された場合、方法４００のフローは、Ｄ２Ｄ送信電力とセルラ送信電力とを計算するために、ステップＳ４０５に進む。また、チャネル品質が所定の閾値を超えていないと決定された場合、方法４００のフローは、全出力を使用するために、ステップＳ４０６に進む。
【００５６】
ステップＳ４０５において、通信システムのスループットが最大化するように、Ｄ２Ｄ送信電力及び少なくとも１つのＵＥ用に少なくとも１つのセルラ送信電力が計算される。
【００５７】
このステップは、Ｄ２Ｄ通信のチャネル品質が所定の閾値を超えていることに応答して行われる。本発明の実施形態によれば、所定の閾値より高いチャネル品質は、Ｄ２Ｄ通信のチャネル品質が比較的良好であることを示すことができる。従って、Ｄ２Ｄ通信は、停止しない。この場合、Ｄ２Ｄ送信機の送信電力（例えば、Ｄ２Ｄ送信電力）及び少なくとも１つのＵＥの送信電力（例えば、セルラ送信電力）は、特定のポリシーに応じて計算されてもよい。例えば、１つのポリシーは、通信システムのスループットを最大化することを含んでいてもよい。従って、Ｄ２Ｄ送信電力及び少なくとも１つのセルラ送信電力は以下ように計算されてもよい。
【数４】
0005964464.tif 000005
【００５８】
上記の式（３）において、最初の行は、最大化されたスループットを表す。それに続く３つの行は、供される３つの制約を示す。１つ目の制約は、Ｄ２Ｄ通信を中断する確率が所定の値、例えばε、未満でなければならないことを示す。特に、式（３）において、Ｓは、セルラ通信する複数のＵＥのサブセットを示す。このサブセットにおける複数のＵＥは、次の送信タイムスロットにおいて活性化された複数のＵＥとして予定される。さらに、サブセットにおける複数のＵＥの総数は、Ｎｔ−１未満である。
σ２は、受信機側のガウシアン雑音の出力を示す。
ｈd,BSは、Ｄ２Ｄ送信機からＢＳまでのアップリンクチャネルを示し、Ｎt-要素ベクトルであってもよい。
Ｐ￣cは、１又は複数のＵＥ用の電力制限を示す。
Ｐ￣dは、Ｄ２Ｄ送信機用の電力制限を示す。
Ｑdは、Ｄ２Ｄ送信機の送信電力を対数形式で示したものである。Ｑｄ＝log（Ｐｄ）である。ここで、Ｐｄは、Ｄ２Ｄ送信機の送信電力を示す。Ｐｄ≦Ｐ￣ｄである。ここで、Ｐ￣dは、Ｄ２Ｄ送信機用の電力制限を示す。
Ｑiは、ｉ番目のＵＥの送信電力を対数形式で示したものである。Ｑi＝log（Ｐi）、Ｐi≦Ｐ￣iである。ここで、Ｐ￣iは、ｉ番目のＵＥ用の電力制限を示す。
Ｖiは、ＢＳにおけるｉ番目のＵＥ用のビームフォーミングベクトルを示す。
Ｖdは、ＢＳにおけるＤ２Ｄ送信機用の受信ビームフォーミングベクトルを示す。
ｈiは、ｉ番目のＵＥからＢＳへのアップリンクチャネルを示し、Ｎｔ-要素ベクトルであってもよい。
εは、Ｄ２Ｄリンク用の停止確率制約を示す。停止は、おおよそ５％であるεを超えてはならない。
Ｒdは、Ｄ２Ｄデバイス用のレート要件を示し、Ｄ２Ｄ受信機におけるレート停止閾値でもある。本発明の実施形態において、log（１＋ＳＩＮＲ）≧Ｒdである場合、Ｄ２Ｄ受信機は、メッセージを正常にデコードすることができる。対応するスループットは、Ｒdである。一方、log（１＋ＳＩＮＲ）＜Ｒdである場合、リンクは停止し、対応するスループットは０になる。
ｇ￣dは、Ｄ２Ｄ送信機からＤ２Ｄ受信機へのチャネルの平均（電力）値を示す。
ｇ￣i,dは、ｉ番目のＵＥからＤ２Ｄ受信機へのチャネルの平均（電力）値を示す。
【００５９】
前述のスループット最適化問題以外に、送信電力は、いくつかの他のポリシー、例えば合計レートを最大化すること、に応じて決定されてもよいことに留意されたい。これらの例は、例示のために示されており、限定するものではない。
【００６０】
ステップＳ４０６において、Ｄ２Ｄ送信機の全出力は、Ｄ２Ｄ送信電力として決定され、少なくとも１つのＵＥの全出力は、少なくとも１つのセルラ送信電力として決定される。
【００６１】
このステップは、Ｄ２Ｄ通信のチャネル品質が所定の閾値を超えていないことに応答して行われる。本発明の実施形態によれば、所定の閾値より低いチャネル品質は、Ｄ２Ｄ通信のチャネル品質が十分良好ではない、つまりＤ２Ｄ通信が停止していることを示すことができる。この場合、Ｄ２Ｄ送信電力は、Ｄ２Ｄ送信機の全出力として決定されてもよい。一方、ＢＳによって提供される１つ又はそれ以上のＵＥ用に、それらのそれぞれの送信電力は、それらのそれぞれの全出力として決定されてもよい。
【００６２】
当業者によって理解されるように、前述のステップＳ４０３からＳ４０６は、本発明に応じた方法のための任意的なステップである。例えば、いくつかの実施形態において、全出力は、通信システムのスループットが低下する可能性があるが、少なくとも１つのＵＥと同様に、Ｄ２Ｄ送信機に直接割り当てられてもよい。
【００６３】
ステップ４０７において、Ｄ２Ｄデータは、Ｄ２Ｄデータ送信機から受信される。
【００６４】
方法４００におけるステップＳ４０７は、上述したように、方法３００におけるステップＳ３０１に対応する。ステップＳ３０１と同様に、Ｄ２Ｄ送信機から送信されたＤ２Ｄデータは、もはや干渉ではなく、ＢＳ用の有効な信号である。
【００６５】
ステップＳ４０８において、受信されたＤ２Ｄデータは、Ｄ２Ｄ受信機から否定的メッセージを受信したことに応答して、Ｄ２Ｄ受信機に送信される。否定的メッセージは、Ｄ２Ｄ受信機がＤ２Ｄ送信機からＤ２Ｄデータを受信できないことを示すことができる。
【００６６】
方法４００におけるステップＳ４０８は、上述したように、方法３００におけるステップＳ３０２に対応する。ステップＳ３０２と同様に、Ｄ２Ｄ受信機から否定的メッセージを受信したことに応答して、ＢＳは、Ｄ２Ｄ送信機からＤ２Ｄデータを正常に受信できないと決定してもよく、それからＤ２Ｄデータの送信成功を保証するためにＤ２ＤデータをＤ２Ｄ受信機に送信してもよい。本発明の実施形態によれば、アンプリファイアンドフォワード、インクリメンタル アンプリファイアンドフォワード、デコードアンドフォワード、セレクション デコードアンドフォワードのようないくつかの転送スキームが、本発明の実施形態において採用されてもよい。
【００６７】
既存の解決方法と比較すると、ＢＳがＤ２Ｄ通信における中継器として適当か否かが、Ｄ２Ｄデータの送信開始前に決定される点で有利である、なぜなら、Ｄ２Ｄ通信の成功比率が効果的に向上するからである。さらに、Ｄ２Ｄデータの送信電力が、例えば、通信システムのスループットを向上させるためにチャネル品質に基づいて決定される点で有利である。
【００６８】
ここで、発明の実施形態に係る通信システムにおいてＤ２Ｄ通信を行うための方法５００を示すフローチャートを図示する図５を参照する。上述したように、本発明の実施形態によれば、通信システムは、少なくとも、ＢＳと、Ｄ２Ｄ送信機と、Ｄ２Ｄ受信機と、を備えていてもよい。Ｄ２Ｄ送信機は、Ｄ２Ｄ通信においてＤ２ＤデータをＤ２Ｄ受信機に送信してもよい。通信システムは、ＧＳＭシステム、ＣＤＭＡシステム、ＵＭＴＳシステム、ＬＴＥシステム等で実施されてもよい。本発明の実施形態によれば、方法５００は、例えば、Ｄ２Ｄ受信機、ユーザ機器、端末、又は他の適用可能なデバイスによって実行されてもよい。
【００６９】
方法５００が開始されると、ステップＳ５０１において、Ｄ２Ｄ送信機からＤ２Ｄデータを受信できないことに応答して、否定的メッセージがＤ２Ｄ送信機とＢＳとに送信される。
【００７０】
図１を参照して説明したように、既存のＤ２Ｄ解決方法において、Ｄ２Ｄ受信機は、Ｄ２Ｄ送信機からＤ２Ｄデータを受信する。通常、Ｄ２ＤデータがＤ２Ｄ受信機によって正常に受信されなかった場合、Ｄ２Ｄ送信機は、Ｄ２Ｄ受信機にＤ２Ｄデータを再送信してよい。
【００７１】
既存のＤ２Ｄ解決方法と異なり、本発明の実施形態において、Ｄ２Ｄ受信機は、Ｄ２Ｄ送信機からＤ２Ｄデータを受信できない場合、否定的メッセージ、例えばＮＡＣＫ（否定的確認応答）、をＢＳと同様にＤ２Ｄ送信機に送信してもよい。このように、Ｄ２Ｄ送信機とＢＳの両方が、Ｄ２Ｄ送信機からＤ２Ｄデータを受信できないことを通知されてもよい。
【００７２】
ステップＳ５０２において、Ｄ２Ｄデータは、ＢＳから受信される。
【００７３】
本発明の実施形態によれば、否定的メッセージに応答して、ＢＳは、Ｄ２Ｄ送信機から受信したＤ２ＤデータをＤ２Ｄ受信機に送信してもよい。このように、Ｄ２Ｄ受信機がＤ２Ｄ送信機からＤ２Ｄデータを受信できなくても、Ｄ２Ｄ送信機から受信できないＤ２Ｄデータと同じＤ２Ｄデータが、ＢＳから受信されてもよい。
【００７４】
本発明の実施形態によれば、必要に応じて、ＢＳ又はＤ２Ｄ送信機からＤ２Ｄデータを受信したことに応答して、肯定的メッセージが、ＢＳとＤ２Ｄ送信機とに送信されてもよい。実施形態では、Ｄ２Ｄ受信機は、Ｄ２Ｄ送信機からＤ２Ｄデータを受信したとき、Ｄ２Ｄデータが正常に受信されたことを通知するために、肯定的メッセージ、例えばＡＣＫ（確認応答）、をＤ２Ｄ送信機に送信してもよい。別の実施形態では、Ｄ２Ｄ受信機は、最初はＤ２Ｄ送信機からＤ２Ｄデータを受信できないが、ＢＳからＤ２Ｄデータを正常に受信し、Ｄ２ＤデータがＢＳから正常に受信されたことを通知するために、肯定的メッセージ、例えばＡＣＫ（確認応答）、をＢＳ及び／又はＤ２Ｄ送信機に送信する。
【００７５】
ここで、発明の実施形態に係る通信システムにおいてＤ２Ｄ通信を行うための方法６００のフローチャートを図示する図６を参照する。上述したように、本発明の実施形態によれば、通信システムは、少なくとも、ＢＳと、Ｄ２Ｄ送信機と、Ｄ２Ｄ受信機と、を備えていてもよい。Ｄ２Ｄ送信機は、Ｄ２Ｄ通信においてＤ２ＤデータをＤ２Ｄ受信機に送信してもよい。通信システムは、ＧＳＭシステム、ＣＤＭＡシステム、ＵＭＴＳシステム、ＬＴＥシステム等で実施されてもよい。本発明の実施形態によれば、方法６００は、例えば、Ｄ２Ｄ受信機、ユーザ機器、端末、又は他の適用可能なデバイスによって実行されてもよい。
【００７６】
方法６００が開始されると、ステップＳ６０１において、Ｄ２Ｄ受信機から否定的メッセージを受信したことに応答して、Ｄ２ＤデータをＤ２Ｄ受信機に送信するために、Ｄ２Ｄデータは、Ｄ２Ｄ受信機とＢＳとに送信される。
【００７７】
上述したように、既存のＤ２Ｄ解決方法において、Ｄ２Ｄ送信機は、Ｄ２ＤデータをＤ２Ｄ受信機に送信するが、ＢＳには送信しない。同時に、ＢＳにおいて、Ｄ２Ｄデータは、ＢＳとＵＥとの間のセルラ通信、特にアップリンクセルラ通信、における干渉である。
【００７８】
既存のＤ２Ｄ解決方法と異なり、本発明の実施形態によれば、Ｄ２Ｄ送信機は、Ｄ２ＤデータをＤ２Ｄ受信機とＢＳの両方に送信する。実施形態では、Ｄ２Ｄデータは、Ｄ２Ｄ受信機とＢＳに送信されてもよい。ここで、インジケータは、Ｄ２Ｄデータが対象とするターゲット（例えばＤ２Ｄ受信機とＢＳ）を示すために、Ｄ２Ｄデータに設定されてもよい。このように、Ｄ２Ｄ受信機とＢＳの両方が、Ｄ２Ｄデータを受信できる。その結果、Ｄ２Ｄ受信機がＤ２Ｄデータを正常に受信できなかったときに、ＢＳは、Ｄ２Ｄ受信機から否定的メッセージを受信したことに応答して、Ｄ２ＤデータをＤ２Ｄデータ受信機に送信できる。
【００７９】
本発明の実施形態によれば、方法６００は、Ｄ２Ｄ受信機がＢＳ又はＤ２Ｄ送信機からＤ２Ｄデータを受信していることを示す肯定的メッセージ、例えばＡＣＫ、をＤ２Ｄ受信機から受信するステップをさらに含んでいてもよい。
【００８０】
本発明の実施形態によれば、方法６００は、Ｄ２Ｄ受信機がＤ２Ｄ送信機からＤ２Ｄデータを受信できないことを示す否定的メッセージ、例えばＮＡＣＫ、をＤ２Ｄ受信機から受信するステップをさらに含んでいてもよい。
【００８１】
より良く理解するために、ここで図１０Ａと図１０Ｂを参照する。図１０Ａと図１０Ｂはそれぞれ、発明の実施形態に係るＤ２Ｄ通信の概略図を図示する。
【００８２】
図１０Ａは、Ｄ２Ｄ通信を行うための実施形態を図示する。ここで、Ｄ２Ｄ送信機（例えばＤ２Ｄ Ｔx）は、１０１１ Ｄ２ＤデータをＤ２Ｄ受信機（例えばＤ２Ｄ Ｒx）に送信する。一方で、Ｄ２Ｄ送信機は、１０１２ Ｄ２ＤデータをＢＳに送信する。実際には、動作１０１１と１０１２は、同時に行われてもよいことに留意されたい。つまり、Ｄ２Ｄデータは、１つのアップリンクセッションでＤ２Ｄ ＲxとＢＳとに送信されてもよい。Ｄ２Ｄ ＴxからＤ２Ｄデータを受信すると、次のダウンリンクセッションで、ＢＳは、通常のセルラ通信のように、１０１３セルデータをＵＥに送信してもよい。図１０Ａが示す実施形態では、Ｄ２Ｄ Ｒxは、Ｄ２Ｄ ＴxからＤ２Ｄデータを正常に受信するので、１０１４肯定的メッセージ、例えばＤ２Ｄ ＡＣＫ をＤ２Ｄ Ｔxに送信し、１０１５ Ｄ２Ｄ ＡＣＫをＢＳに送信する。
【００８３】
図１０Ｂは、Ｄ２Ｄ通信を行うための別の実施形態を図示する。ここで、Ｄ２Ｄ ＴＸは、１０２２ Ｄ２ＤデータをＢＳに送信するのと同様に、１０２１ Ｄ２ＤデータをＤ２Ｄ Ｒxに送信する。実際には、動作１０２１と１０２２は、同時に行われてもよいことに留意されたい。つまり、Ｄ２Ｄデータは、同一のアップリンクセッションでＤ２Ｄ ＲxとＢＳとに送信されてもよい。Ｄ２Ｄ ＴxからＤ２Ｄデータを受信すると、次のダウンリンクセッションで、ＢＳは、通常のセルラ通信において、１０２３セルデータをＵＥに送信してもよい。図１０Ｂが示す実施形態では、Ｄ２Ｄ Ｒxは、Ｄ２Ｄ ＴxからＤ２Ｄデータを受信できないので、１０２４否定的メッセージ、例えばＤ２Ｄ ＮＡＣＫ をＤ２Ｄ Ｔxに送信し、１０２５ Ｄ２Ｄ ＡＣＫをＢＳに送信する。Ｄ２Ｄ受信機からＤ２Ｄ ＮＡＣＫを受信したことに応答して、ＢＳは、１０２６ Ｄ２ＤデータをＤ２Ｄ受信機に送信する。一方、ＢＳは、通常のセルラ通信において、１０２７セルデータをＵＥに送信してもよい。送信１０２６と１０２７とが同一のダウンリンクで行われてもよいことに留意されたい。 Ｄ２Ｄ ＲＸは、Ｄ２Ｄ送信機からＤ２Ｄデータを受信したことに応答して、１０２９ Ｄ２Ｄ ＡＣＫをＢＳに送信するのと同様に、１０２８肯定的メッセージ、例えばＤ２Ｄ ＡＣＫ、をＤ２Ｄ送信機に送信してもよい。
【００８４】
図７−９は、それぞれ発明の実施形態に係る通信システムにおけるＤ２Ｄ通信を行うための装置のブロック図に関連する。上述したように、図７−９が図示する実施形態では、通信システムは、少なくとも、ＢＳと、Ｄ２Ｄ送信機と、Ｄ２Ｄ受信機と、を備えていてもよい。Ｄ２Ｄ送信機は、Ｄ２Ｄ通信においてＤ２ＤデータをＤ２Ｄ受信機に送信してもよい。通信システムは、ＧＳＭシステム、ＣＤＭＡシステム、ＵＭＴＳシステム、ＬＴＥシステム等と同様に実施されてもよい。
【００８５】
ここで、発明の実施形態に係る通信システムにおいてＤ２Ｄ通信を行うための装置７００のブロック図を図示する図７を参照する。本発明の実施形態によれば、装置７００は、例えば、基地局、基地局制御機（ＢＳＣ）、ゲートウェイ、中継器、サーバ、他の適用可能なデバイスによって実現されてもよい。
【００８６】
図のように、装置７００は、Ｄ２Ｄ送信機からＤ２Ｄデータを受信する第１のデータ受信部７１０と、Ｄ２Ｄ受信機がＤ２Ｄ送信機からＤ２Ｄデータを受信できなかったことを示す否定的メッセージをＤ２Ｄ受信機から受信したことに応答して、受信したＤ２ＤデータをＤ２Ｄ受信機に送信する第１のデータ送信部７２０と、を備える。
【００８７】
本発明の実施形態によれば、装置７００は、Ｄ２Ｄ送信機からＤ２Ｄデータを送信するためのＤ２Ｄ送信電力を決定する第１の決定部をさらに備えていてもよい。開示の実施形態によれば、第１の決定部は、Ｄ２Ｄ通信のチャネル品質を取得する第１の取得部と、チャネル品質が所定の閾値を超えているか否かを決定する第２の決定部と、チャネル品質が所定の閾値を超えていると決定したことに応答して、通信システムのスループットが最大化するように、Ｄ２Ｄ送信電力及び少なくとも１つのＵＥ用に少なくとも１つのセルラ送信電力を計算する第１の計算部と、チャネル品質が所定の閾値を超えていないと決定したことに応答して、Ｄ２Ｄ送信機の全出力をＤ２Ｄ送信電力として決定し、少なくとも１つのＵＥの全出力を少なくとも１つのセルラ送信電力として決定する第３の決定部と、を備えていてもよい。
【００８８】
本発明の実施形態によれば、装置７００は、Ｄ２Ｄ通信に必要とされるＤ２Ｄレートを取得する第２の取得部と、Ｄ２Ｄレートに基づいて、ＢＳがＤ２Ｄ通信における中継器として適当か否かを決定する第４の決定部と、をさらに備えていてもよい。開示の実施形態によれば、第４の決定部は、Ｄ２Ｄ送信機用の電力制限とＤ２Ｄ送信機からＢＳへのチャネルとに基づいて、又は、ＢＳ用の電力制限とＢＳからＤ２Ｄ受信機へのチャネルとに基づいて、候補レートを計算する第２の計算部と、候補レートがＤ２Ｄレートを超えているか否かを決定する第５の決定部と、候補レートがＤ２Ｄレートを超えていると決定したことに応答して、ＢＳがＤ２Ｄ通信における中継器として適当であると決定する第６の決定部と、候補レートがＤ２Ｄレートを超えていないと決定したことに応答して、ＢＳがＤ２Ｄ通信における中継器として適当でないと決定する第７の決定部と、を備えていてもよい。
【００８９】
ここで、発明の実施形態に係る通信システムにおいてＤ２Ｄ通信を行うための装置８００のブロック図を図示する図８を参照する。本発明の実施形態によれば、装置８００は、例えば、Ｄ２Ｄ受信機、ユーザ機器、端末、他の適用可能なデバイスによって実現されてもよい。
【００９０】
図のように、装置８００は、Ｄ２Ｄ送信機からＤ２Ｄデータを受信できないことに応答して、Ｄ２Ｄ送信機とＢＳとに否定的メッセージを送信する第１の送信部８１０と、ＢＳからＤ２Ｄデータを受信する第２のデータ受信部８２０と、を備える。
【００９１】
本発明の実施形態によれば、装置８００は、ＢＳ又はＤ２Ｄ送信機からＤ２Ｄデータを受信したことに応答して、肯定的メッセージをＤ２Ｄ送信機とＢＳとに送信する第２の送信部をさらに備えていてもよい。
【００９２】
ここで、発明の実施形態に係る通信システムにおいてＤ２Ｄ通信を行うための装置９００のブロック図を図示する図９を参照する。本発明の実施形態によれば、装置９００は、例えば、Ｄ２Ｄ送信機、ユーザ機器、端末、他の適用可能なデバイスによって実現されてもよい。
【００９３】
図のように、装置９００は、ＢＳが、Ｄ２Ｄ受信機から否定的メッセージを受信したことに応答して、Ｄ２ＤデータをＤ２Ｄ受信機に送信できるように、Ｄ２ＤデータをＤ２Ｄ受信機とＢＳとに送信する第２のデータ送信部９１０を備える。
【００９４】
本発明の実施形態によれば、装置９００は、Ｄ２Ｄ受信機がＢＳ又はＤ２Ｄ送信機からＤ２Ｄデータを受信したことを示す肯定的メッセージをＤ２Ｄ受信機から受信する第１のメッセージ受信部をさらに備えていてもよい。
【００９５】
本発明の実施形態によれば、装置８００は、Ｄ２Ｄ受信機がＤ２Ｄ送信機からＤ２Ｄデータを受信できないことを示す否定的メッセージをＤ２Ｄ受信機から受信する第２のメッセージ受信部をさらに備えていてもよい。
【００９６】
第１のデータ受信部７１０、第１のデータ送信部７２０、第１の送信部８１０、第２のデータ受信部８２０、及び第２のデータ送信部９１０は、それぞれ既知の又は将来開発される任意の適当な技術によって実現されてもよいことに留意されたい。さらに、図７、図８、又は図９が示すシングルデバイスは、多数の独立したデバイスにおいて、代替的に実現されてもよい。そして、多数の分離されたデバイスは、シングルデバイスで実現されてもよい。本発明の範囲は、これらの点に限定されない。
【００９７】
装置７００は、図３−４に関して述べられた機能を実現するために構成されていてもよいという点に留意されたい。装置８００は、図５に関して述べられた機能を実現するために構成されていてもよいという点に留意されたい。装置９００は、図６に関して述べられた機能を実現するために構成されていてもよいという点に留意されたい。それゆえ、方法３００と４００のいずれかに関して述べられた特徴は、装置７００の対応構成要素に適用されてもよい。方法５００に関して述べられた特徴は、装置８００の対応構成要素に適用されてもよい。方法６００に関して述べられた特徴は、装置９００の対応構成要素に適用されてもよい。装置７００、装置８００、装置９００の構成要素は、ハードウェア、ソフトウェア、ファームウェア、及び／又はそれらの組み合わせで具現化されていてもよいという点にも留意されたい。例えば、装置７００、装置８００、装置９００の構成要素は、それぞれ回路、プロセッサ、又は他の適当なデバイスによって実現されてもよい。当業者は、前述の例が単なる例示であって限定ではないと理解するであろう。
【００９８】
本開示のいくつかの実施形態では、装置７００、装置８００、装置９００は、それぞれ少なくとも１つのプロセッサを備える。本開示の実施形態での使用に適当な少なくとも１つのプロセッサは、例として、既知の又は将来開発される、汎用プロセッサと特殊な目的のプロセッサとを両方備えていてもよい。装置７００、装置８００、装置９００は、それぞれ少なくとも１つのメモリをさらに備えていてもよい。少なくとも１つのメモリは、半導体メモリデバイス、例えば、ＲＡＭ、ＲＯＭ、ＥＰＲＯＭ、ＥＥＰＲＯＭ、フラッシュメモリデバイス、を備えていてもよい。少なくとも１つのメモリは、コンピュータ実行可能な指示のプログラムを格納するのに使用されてもよい。プログラムは、任意の高水準及び／又は低水準のコンパイル可能又は解釈可能なプログラミング言語で書かれていてもよい。実施形態によれば、コンピュータ実行可能な指示は、上述したように、少なくとも方法３００と方法４００のいずれかを少なくとも１つのプロセッサで装置７００に実行させるように構成されていてもよい。又は、少なくとも方法５００を少なくとも１つのプロセッサで装置８００に実行させるように構成されていてもよい。又は、少なくとも方法６００を少なくとも１つのプロセッサで装置９００に実行させるように構成されていてもよい。
【００９９】
上記説明に基づいて、当業者は、本開示が、装置、方法、又はコンピュータプログラム製品に具現化される可能性があると理解するだろう。一般に、様々な典型的な実施形態は、ハードウェア又は特別な目的の回路、ソフトウェア、論理、又はそれらの組合せで実現されるてもよい。例えば、いくつかの特徴がハードウェアで実現されてもよく、一方で、他の特徴が、制御器、マイクロプロセッサ、又は他のコンピュータデバイスによって実行されるファームウェア又はソフトウェアで実現されてもよい。しかし、開示は、それらに限定されない。この開示の典型的な実施形態の様々な特徴が、ブロック図、フローチャート、又は他の視覚的表現を使うことで図示され表現されてもよい。一方で、ここに表現されるこれらのブロック、装置、システム、技術、又は方法は、非限定的な例として、ハードウェア、ソフトウェア、ファームウェア、特別な目的の回路又は論理、汎用的ハードウェア又は制御器又は他のコンピュータデバイス、又はそれらの組み合わせで実現されてもよいということはよく理解されるだろう。
【０１００】
図３−６が示す様々なブロックは、方法のステップとして、及び／又はコンピュータプログラムコードの動作から生じる動作として、及び／又は関連する機能を実行するために構成される複数の連結論理回路要素として、表現されてもよい。少なくとも開示の典型的な実施形態のいくつかの特徴は、集積回路チップとモジュールのような様々な構成要素で実現されるものとしてもよい。この開示の典型的な実施形態は、本開示の典型的な実施形態に従って動作するように構成された集積回路、ＦＰＧＡ、又はＡＳＩＣとして具現化される装置で実現されてもよい。
【０１０１】
本明細書は、多くの特定の実施の詳細を含むが、開示又は請求の範囲を限定するものとして捉えられるべきではなく、むしろ、特定の開示の特定の具現化に関する特徴の記載であるものとして捉えられるべきである。別々の実施形態の文脈において、この明細書で記述される特定の特徴は、１つの実施形態の組合せで実行されうる。逆に、１つの実施形態の文脈で記述される様々な特徴は、複数の実施形態又は適当な下位の組合せでも実行されうる。さらに、特徴は、特定の組み合わせを実現するように上述された、最初にクレームされているものでもよいが、クレームされた組み合わせの１つ以上の特徴は、いくつかの場合では組み合わせから取り除かれる可能性もあり、クレームされた組み合わせは、下位の組み合わせ又は下位の組み合わせのヴァリエーションに方向付けられるものであってもよい。
【０１０２】
同様に、動作は、図では特定の順序で示されているが、望ましい結果を達成するために、それら動作は図示される特定の順序又は連続した順序で実行される必要はなく、又は全ての図示された動作が実行される必要もないと理解するべきである。特定の状況では、マルチタスキングと並列処理が有利である可能性がある。さらに、上述の実施形態では様々なシステム構成要素が分離されているが、全ての実施形態でそのように分離されている必要があると理解するべきではない。そして、記述されたプログラム構成要素とシステムが、通常、１つのソフトウェア製品に一緒に集積され、又は複数のソフトウェア製品にパッケージされうることが理解されるべきである。
【０１０３】
前述の説明を添付の図面とともに読むと、この開示の典型的な実施形態への多様な修正、翻案が、関連技術の当業者にとって明らかになるだろう。いかなる、そして全ての修正は、やはり本開示の非限定的で典型的な実施形態の範囲内になる。さらにまた、前述の説明と関連図面の教示の利益を受ける、本開示の実施形態が属する分野の当業者に、ここに述べられた開示の他の実施形態が思い浮かぶだろう。
【０１０４】
従って、開示の実施形態は開示された特定の実施形態に限定されないことが理解されるべきである。そして、その修正と他の実施形態は添付のクレームの範囲内に含まれるように意図されていることが理解されるべきである。ここでは特定の用語が使用されているが、それらは一般的で説明的な意味でのみ使用され、限定を目的としていない。
【０１０５】
（付記１）
通信システムにおいてＤ２Ｄ（デバイス間）通信を行う装置であって、
前記通信システムは、少なくとも、基地局（ＢＳ）と、Ｄ２Ｄ送信機と、Ｄ２Ｄ受信機と、を備え、
前記Ｄ２Ｄ送信機は、Ｄ２Ｄ通信においてＤ２Ｄデータを前記Ｄ２Ｄ受信機に送信し、
前記装置は、
前記Ｄ２Ｄ送信機からＤ２Ｄデータを受信する第１のデータ受信部と、
前記Ｄ２Ｄ受信機が前記Ｄ２Ｄ送信機から前記Ｄ２Ｄデータを受信できないことを示す否定的メッセージを前記Ｄ２Ｄ受信機から受信したことに応答して、前記受信したＤ２Ｄデータを前記Ｄ２Ｄ受信機に送信する第１のデータ送信部と、
を備える装置。
【０１０６】
（付記２）
前記Ｄ２Ｄ送信機から前記Ｄ２Ｄデータを送信するためのＤ２Ｄ送信電力を決定する第１の決定部をさらに備える付記１に記載の装置。
【０１０７】
（付記３）
前記第１の決定部は、
前記Ｄ２Ｄ通信のチャネル品質を取得する第１の取得部と、
前記チャネル品質が所定の閾値を超えているか否かを決定する第２の決定部と、
前記チャネル品質が所定の閾値を超えていると決定したことに応答して、前記通信システムのスループットが最大化するように、前記Ｄ２Ｄ送信電力及び少なくとも１つのＵＥ用に少なくとも１つのセルラ送信電力を計算する第１の計算部と、
前記チャネル品質が前記所定の閾値を超えていないと決定したことに応答して、前記Ｄ２Ｄ送信機の全出力を前記Ｄ２Ｄ送信電力として決定し、前記少なくとも１つのＵＥの全出力を前記少なくとも１つのセルラ送信電力として決定する第３の決定部と、
を備える付記２に記載の装置。
【０１０８】
（付記４）
前記Ｄ２Ｄ通信に必要とされるＤ２Ｄレートを取得する第２の取得部と、
前記Ｄ２Ｄレートに基づいて、前記ＢＳが前記Ｄ２Ｄ通信における中継器として適当か否かを決定する第４の決定部と、
をさらに備える付記１に記載の装置。
【０１０９】
（付記５）
前記第４の決定部は、
前記Ｄ２Ｄ送信機用の電力制限と前記Ｄ２Ｄ送信機から前記ＢＳへのチャネルとに基づいて、又は、前記ＢＳ用の電力制限と前記ＢＳから前記Ｄ２Ｄ受信機へのチャネルとに基づいて、候補レートを計算する第２の計算部と、
前記候補レートが前記Ｄ２Ｄレートを超えているか否かを決定する第５の決定部と、
前記候補レートが前記Ｄ２Ｄレートを超えていると決定したことに応答して、前記ＢＳが前記Ｄ２Ｄ通信における中継器として適当であると決定する第６の決定部と、
前記候補レートが前記Ｄ２Ｄレートを超えていないと決定したことに応答して、前記ＢＳが前記Ｄ２Ｄ通信における中継器として適当でないと決定する第７の決定部と、
を備える付記４に記載の装置。
【０１１０】
（付記６）
通信システムにおいてＤ２Ｄ（デバイス間）通信を行う装置であって、
前記通信システムは、少なくとも、基地局（ＢＳ）と、Ｄ２Ｄ送信機と、Ｄ２Ｄ受信機と、を備え、
前記Ｄ２Ｄ送信機は、Ｄ２Ｄ通信においてＤ２Ｄデータを前記Ｄ２Ｄ受信機に送信し、
前記装置は、
前記Ｄ２Ｄ送信機からＤ２Ｄデータを受信できないことに応答して、前記Ｄ２Ｄ送信機と前記ＢＳとに否定的メッセージを送信する第１の送信部と、
前記ＢＳから前記Ｄ２Ｄデータを受信する第２のデータ受信部と、
を備える装置。
【０１１１】
（付記７）
前記ＢＳ又は前記Ｄ２Ｄ送信機から前記Ｄ２Ｄデータを受信したことに応答して、肯定的メッセージを前記Ｄ２Ｄ送信機と前記ＢＳとに送信する第２の送信部をさらに備える付記６に記載の装置。
【０１１２】
（付記８）
通信システムにおいてＤ２Ｄ（デバイス間）通信を行う装置であって、
前記通信システムは、少なくとも、基地局（ＢＳ）と、Ｄ２Ｄ送信機と、Ｄ２Ｄ受信機と、を備え、
前記Ｄ２Ｄ送信機は、Ｄ２Ｄ通信においてＤ２Ｄデータを前記Ｄ２Ｄ受信機に送信し、
前記装置は、前記ＢＳが、前記Ｄ２Ｄ受信機から否定的メッセージを受信したことに応答して、前記Ｄ２Ｄデータを前記Ｄ２Ｄ受信機に送信できるように、前記Ｄ２Ｄデータを前記Ｄ２Ｄ受信機と前記ＢＳとに送信する第２のデータ送信部を備える装置。
【０１１３】
（付記９）
前記Ｄ２Ｄ受信機が前記ＢＳ又は前記Ｄ２Ｄ送信機から前記Ｄ２Ｄデータを受信していることを示す肯定的メッセージを前記Ｄ２Ｄ受信機から受信する第１のメッセージ受信部をさらに備える付記８に記載の装置。
【０１１４】
（付記１０）
前記Ｄ２Ｄ受信機が前記Ｄ２Ｄ送信機から前記Ｄ２Ｄデータを受信できないことを示す否定的メッセージを前記Ｄ２Ｄ受信機から受信する第２のメッセージ受信部をさらに備える付記８に記載の装置。
【０１１５】
（付記１１）
通信システムにおいてＤ２Ｄ（デバイス間）通信を行う方法であって、
前記通信システムは、少なくとも、基地局（ＢＳ）と、Ｄ２Ｄ送信機と、Ｄ２Ｄ受信機と、を備え、
前記Ｄ２Ｄ送信機は、Ｄ２Ｄ通信においてＤ２Ｄデータを前記Ｄ２Ｄ受信機に送信し、
前記方法は、
前記Ｄ２Ｄ送信機からＤ２Ｄデータを受信することと、
前記Ｄ２Ｄ受信機が前記Ｄ２Ｄ送信機から前記Ｄ２Ｄデータを受信できないことを示す否定的メッセージを前記Ｄ２Ｄ受信機から受信したことに応答して、前記受信したＤ２Ｄデータを前記Ｄ２Ｄ受信機に送信することと、
を備える方法。
【０１１６】
（付記１２）
前記Ｄ２Ｄ送信機から前記Ｄ２Ｄデータを送信するためのＤ２Ｄ送信電力を決定することをさらに備える付記１１に記載の方法。
【０１１７】
（付記１３）
少なくとも１つのユーザ機器（ＵＥ）は、前記基地局（ＢＳ）によって提供され、
前記Ｄ２Ｄ送信機から前記Ｄ２Ｄデータを送信するためのＤ２Ｄ送信電力を決定することは、
前記Ｄ２Ｄ通信のチャネル品質を取得することと、
前記チャネル品質が所定の閾値を超えているか否かを決定することと、
前記チャネル品質が所定の閾値を超えていると決定したことに応答して、前記通信システムのスループットが最大化するように、前記Ｄ２Ｄ送信電力及び少なくとも１つのＵＥ用に少なくとも１つのセルラ送信電力を計算することと、
前記チャネル品質が前記所定の閾値を超えていないと決定したことに応答して、前記Ｄ２Ｄ送信機の全出力を前記Ｄ２Ｄ送信電力として決定し、前記少なくとも１つのＵＥの全出力を前記少なくとも１つのセルラ送信電力として決定することと、
を備える付記１２に記載の方法。
【０１１８】
（付記１４）
前記Ｄ２Ｄ通信に必要とされるＤ２Ｄレートを取得することと、
前記Ｄ２Ｄレートに基づいて、前記ＢＳが前記Ｄ２Ｄ通信における中継器として適当か否かを決定することと、
をさらに備える付記１１に記載の方法。
【０１１９】
（付記１５）
前記Ｄ２Ｄレートに基づいて、前記ＢＳが前記Ｄ２Ｄ通信における中継器として適当か否かを決定することは、
前記Ｄ２Ｄ送信機用の電力制限と前記Ｄ２Ｄ送信機から前記ＢＳへのチャネルとに基づいて、又は、前記ＢＳ用の電力制限と前記ＢＳから前記Ｄ２Ｄ受信機へのチャネルとに基づいて、候補レートを計算することと、
前記候補レートが前記Ｄ２Ｄレートを超えているか否かを決定することと、
前記候補レートが前記Ｄ２Ｄレートを超えていると決定したことに応答して、前記ＢＳが前記Ｄ２Ｄ通信における中継器として適当であると決定することと、
前記候補レートが前記Ｄ２Ｄレートを超えていないと決定したことに応答して、前記ＢＳが前記Ｄ２Ｄ通信における中継器として適当でないと決定することと、
を備える付記１４に記載の方法。
【０１２０】
（付記１６）
通信システムにおいてＤ２Ｄ（デバイス間）通信を行う方法であって、
前記通信システムは、少なくとも、基地局（ＢＳ）と、Ｄ２Ｄ送信機と、Ｄ２Ｄ受信機と、を備え、
前記Ｄ２Ｄ送信機は、Ｄ２Ｄ通信においてＤ２Ｄデータを前記Ｄ２Ｄ受信機に送信し、
前記方法は、
前記Ｄ２Ｄ送信機からＤ２Ｄデータを受信できないことに応答して、前記Ｄ２Ｄ送信機と前記ＢＳとに否定的メッセージを送信することと、
前記ＢＳから前記Ｄ２Ｄデータを受信することと、
を備える方法。
【０１２１】
（付記１７）
前記ＢＳ又は前記Ｄ２Ｄ送信機から前記Ｄ２Ｄデータを受信したことに応答して、肯定的メッセージを前記Ｄ２Ｄ送信機と前記ＢＳとに送信することをさらに備える付記１６に記載の方法。
【０１２２】
（付記１８）
通信システムにおいてＤ２Ｄ（デバイス間）通信を行う方法であって、
前記通信システムは、少なくとも、基地局（ＢＳ）と、Ｄ２Ｄ送信機と、Ｄ２Ｄ受信機と、を備え、
前記Ｄ２Ｄ送信機は、Ｄ２Ｄ通信においてＤ２Ｄデータを前記Ｄ２Ｄ受信機に送信し、
前記方法は、前記ＢＳが、前記Ｄ２Ｄ受信機から否定的メッセージを受信したことに応答して、前記Ｄ２Ｄデータを前記Ｄ２Ｄ受信機に送信できるように、前記Ｄ２Ｄデータを前記Ｄ２Ｄ受信機と前記ＢＳとに送信することを備える方法。
【０１２３】
（付記１９）
前記Ｄ２Ｄ受信機が前記ＢＳ又は前記Ｄ２Ｄ送信機から前記Ｄ２Ｄデータを受信していることを示す肯定的メッセージを前記Ｄ２Ｄ受信機から受信することをさらに備える付記１８に記載の方法。
【０１２４】
（付記２０）
前記Ｄ２Ｄ受信機が前記Ｄ２Ｄ送信機から前記Ｄ２Ｄデータを受信できないことを示す否定的メッセージを前記Ｄ２Ｄ受信機から受信することをさらに備える付記１８に記載の方法。
【図１】
0005964464.tif 000006
【図２】
0005964464.tif 000007
【図３】
0005964464.tif 000008
【図４】
0005964464.tif 000009
【図５】
0005964464.tif 000010
【図６】
0005964464.tif 000011
【図７】
0005964464.tif 000012
【図８】
0005964464.tif 000013
【図９】
0005964464.tif 000014
【図１０Ａ】
0005964464.tif 000015
【図１０Ｂ】
0005964464.tif 000016